(57)【特許請求の範囲】
【請求項１】
液透過性のトップシートと、液不透過性のバックシートと、両シート間に介在された液保持性の吸収体とを具備してなり、腹側部又は背側部の何れか一方に腰部保持部材が配されており、更に該腰部保持部材の設けられている側と対向する側の左右両側部に、おむつ止着部が設けられている、展開型の使い捨ておむつにおいて、
上記腰部保持部材は、腹側部又は背側部の左右両側のそれぞれに配されており、
両方の上記腰部保持部材に、開口部が設けられており、
一方の上記腰部保持部材は、腰部保持部材止着部を有しており、上記一方の腰部保持部材の上記腰部保持部材止着部を他方の上記腰部保持部材の基端部の上記バックシート側に係合させて装着するようになされており、
上記一方の腰部保持部材の上記腰部保持部材止着部を上記他方の腰部保持部材の上記基端部に止着させた状態において、上記他方の腰部保持部材の先端部が上記一方の腰部保持部材の基端部に達していることを特徴とする使い捨ておむつ。
【請求項２】
一対の上記腰部保持部材は、その少なくとも一方が伸縮性を有することを特徴とする請求項１記載の使い捨ておむつ。
【請求項３】
腹側のウエスト部又は背側のウエスト部は、その少なくとも一部が伸縮性を有することを特徴とする請求項１記載の使い捨ておむつ。
【発明の詳細な説明】
【０００１】
【発明の属する技術分野】
本発明は、腰部保持部材を具備する展開型の使い捨ておむつに関し、更に詳しくは、装着中におむつがずり落ちることがない、フィット性に優れた使い捨ておむつに関する。
【０００２】
【従来の技術及び発明の解決しようとする課題】
従来より、液透過性のトップシートと、液不透過性のバックシートと、両シート間に介在された液保持性の吸収体とを具備してなり、腹側部又は背側部の少なくとも何れか一方における左右両側に一対の腰部保持部材が配されている展開型の使い捨ておむつは、広く用いられている。
【０００３】
このような使い捨ておむつの具体例としては、図５に示す使い捨ておむつ等が挙げられる。
図５に示す従来の使い捨ておむつ１０１は、液透過性のトップシート１０２と、液不透過性のバックシート１０３と、両シート間に介在された液保持性の吸収体１０４とを具備してなり、背側部Ｂ’の左右両側に一対の腰部保持部材１１０、１１０’が配されている。また、該腰部保持部材１１０、１１０’は、その一方１１０の先端部に且つトップシート１０２側に該腰部保持部材１１０、１１０’止着用の機械的ファスナーの凸部材からなる止着部材１１１が配されており、また、腹側部Ａ’の左右両側縁部におけるトップシート１０２側に機械的ファスナーの凸部材からなるおむつ止着用のおむつ止着部材１２０が配されている。
そして、このような使い捨ておむつは、一方の上記腰部保持部材１１０の先端部に設けられている上記止着部材１１１を他方の腰部保持部材１１０’のバックシート側に当接させて腰部保持部材１１０、１１０’の止着を行い、更に止着された腰部保持部材１１０、１１０’のバックシート側に、上記おむつ止着部材１２０を当接させておむつの止着を行うことにより、おむつの装着を行っていた。
【０００４】
しかし、このような従来の使い捨ておむつにおいては、上記腰部保持部材が一枚のシート材により平面的に構成されていたため、腰部保持部材の着用者の体に対するフィット性に劣り、おむつ自体がずり落ちてしまう等、おむつのフィット性に劣るという問題があった。
尚、本明細書において「装着者」とは、装着操作を行う者、例えば、母親、介護者を意味し、「着用者」とは、おむつを着用し使用する者、例えば、乳幼児、老人等を意味する。また、「装着者」と「着用者」とが同一人である場合もある。
【０００５】
従って、本発明の目的は、装着中におむつのずり落ちがない、フィット性に優れた使い捨ておむつを提供することにある。
【０００７】
【課題を解決するための手段】
本発明は、液透過性のトップシートと、液不透過性のバックシートと、両シート間に介在された液保持性の吸収体とを具備してなり、腹側部又は背側部の何れか一方に腰部保持部材が配されており、更に該腰部保持部材の設けられている側と対向する側の左右両側部に、おむつ止着部が設けられている、展開型の使い捨ておむつにおいて、上記腰部保持部材は、腹側部又は背側部の左右両側のそれぞれに配されており、両方の上記腰部保持部材に、開口部が設けられており、一方の上記腰部保持部材は、腰部保持部材止着部を有しており、上記一方の腰部保持部材の上記腰部保持部材止着部を他方の上記腰部保持部材の基端部の上記バックシート側に係合させて装着するようになされており、上記一方の腰部保持部材の上記腰部保持部材止着部を上記他方の腰部保持部材の上記基端部に止着させた状態において、上記他方の腰部保持部材の先端部が上記一方の腰部保持部材の基端部に達していることを特徴とする使い捨ておむつを提供するものである。
【０００８】
また、本発明は、一対の上記腰部保持部材は、その少なくとも一方が伸縮性を有する上記使い捨ておむつを提供するものである。
また、本発明は、腹側のウエスト部又は背側のウエスト部は、その少なくとも一部が伸縮性を有する上記使い捨ておむつを提供するものである。
【０００９】
【発明の実施の形態】
以下、本発明の使い捨ておむつの一形態について図面を参照して詳細に説明する。
ここで、図１は、本発明の使い捨ておむつの一形態を示す斜視図であり、図２は、図１に示す形態の使い捨ておむつを装着する途中の態様を示す斜視図であり、図３は、組あがった使い捨ておむつを示す斜視図である。
【００１０】
図１に示す形態の使い捨ておむつ１は、液透過性のトップシート２と、液不透過性のバックシート３と、両シート間に介在された液保持性の吸収体４とを具備してなり、背側部Ｂに腰部保持部材１０が配されており、更に該腰部保持部材１１の設けられている側と対向する側（即ち、腹側部Ａ）の左右両側部に、おむつ止着部２０が設けられている、展開型の使い捨ておむつである。
【００１１】
更に詳細に説明すると、本形態の使い捨ておむつは、図１に示すように、吸収体４が股下領域が縊れた砂時計状に湾曲形成され、トップシート２及びバックシート３も吸収体４の形状に即して股下領域が上述の如く湾曲形成されており、該吸収体４は、トップシート２及びバックシート３により挟持・固定されている。
また、上記表面シート２上には、防漏シート８ａをおむつの外方側に固定して形成された、おむつの内方側に自由端８ｂを有する立体ガード８が配されている。
また、上記吸収体４の周縁部におけるウエスト部５とレッグ部６とには、おむつを着用した際に、着用者にウエスト部５とレッグ部６とをフィットさせるためのウエスト部弾性伸縮部材７ａ，レッグ部弾性伸縮部材７ｂがトップシート２とバックシート３とにより挟持・固定されて設けられている。即ち、腹側及び背側のウエスト部５は、その一部（中央部分）が伸縮性を有するようになされている。
また、上記自由端８ｂには、立体ガード弾性伸縮部材７ｃが設けられている。
このような構成は、従来の展開型の使い捨ておむつと同じである。
【００１２】
次に、上記使い捨ておむつ１を構成する各部材の形成材料について説明する。
上記トップシート２としては、排泄物を吸収体へ透過させる液透過性シートで肌着に近い感触を有したものが好ましく、このような液透過性シートとしては、例えば、織布、不織布、多孔性フィルム等が好ましく挙げられる。また、トップシート２の周縁にシリコン系油剤、パラフィンワックス等の疎水性化合物を塗布する方法や、予めアルキルリン酸エステルのような親水性化合物を全体に塗布し、周縁を温水で洗浄する方法により、撥水処理を施し、周縁における尿等の滲みによる漏れを防止することができる。
本形態においては、後述するように不織布が用いられている。
【００１３】
また、上記バックシート３としては、熱可塑性樹脂にフィラーを加えて延伸した液不透過性かつ蒸気透過性のフィルムシート、不織布などの繊維集合体、又はこれらの積層シート等が用いられるが、本形態においては、不織布又は表面に不織布が位置する積層シートが用いられている。
【００１４】
また、上記吸収体４としては、解繊パルプを主材とした高分子吸水ポリマーを併用したものが好ましい。該高分子吸水ポリマーは、上記吸収体の上層、中層、下層のいずれに存在させてもよく、また、パルプと混合したものであってもよい。また、該高分子吸水ポリマーは自重の２０倍以上の液体を吸収して保持し得る保持性能を有し、ゲル化する性質を有する粒子状のものが好ましく、このような高分子吸水ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましく挙げられる。
【００１５】
また、上記腰部保持部材止着部１１及び上記おむつ止着部２０は、面ファスナーの凸部材により形成されている。該凸部材としては、「マジックテープ」（登録商標、クラレ社製）、「クイックロン」（登録商標、ＹＫＫ社製）、「マジクロス」（登録商標、カネボウベルタッチ社製）等、鍵状やキノコ形状などの凸状の係合部材が多数付設されてなるシート等の公知の（市販の）面ファスナーの凸部材を特に制限なく用いることができる。
【００１６】
上記立体ガード８を形成する上記防漏シート８ａとしては、通常公知のものを特に制限なく用いることができるが、疎水性不織布や撥水処理された不織布などが好ましく用いられる。
【００１７】
また、一対の上記腰部保持部材１０は、両方とも伸縮性の部材により形成されており、伸縮性を有する。このため、上記腰部保持部材止着部１１が設けられていない部分において、該腰部保持部材１０の長手方向（おむつの周方向）に伸縮可能になされており、よりフィット性が向上されている。
この際用いられる上記の伸縮性の部材としては、上記腰部保持部材止着部１１を形成する上記凸部材と係合可能であって伸縮性を有する公知の不織布または、フィルムタイプの弾性材や糸ゴム、平ゴム等を不織布で挟み込んだもの等が特に制限なく用いられる。
【００１８】
また、上記ウエスト部弾性伸縮部材７ａ，上記レッグ部弾性伸縮部材７ｂ及び上記立体ガード弾性伸縮部材７ｃとしては、糸ゴム、平ゴム、フィルムタイプの弾性材あるいはフィルム状の発泡ポリウレタン等が好ましく挙げられ、５０％伸長時の応力が４０〜１５０グラムのものが好ましい。
【００１９】
而して、本形態の使い捨ておむつ１においては、図１に示すように、上記腰部保持部材１０には、細長いスリット状の開口部１２が、該開口部１２の長手方向を該腰部保持部材１０の長手方向に向けて設けられている。
【００２０】
更に詳述すると、上記腰部保持部材１０は、上記背側部Ｂの左右両側のそれぞれに配されており、上記開口部１２は、両方の上記腰部保持部材１０に設けられている。
そして、このような開口部１２が設けられていることにより、基端部１４と先端部１３との間に上方保持部１５と下方保持部１６とが形成されている。
上記開口部１２の先端からの長さＬ１  は、５〜２００ｍｍとするのが好ましく、また、背側部Ｂの側縁からの長さＬ２  は、５〜２００ｍｍとするのが好ましい。
また、上記開口部１２の最も巾広の部分の巾Ｗ１  は、０．１〜５０ｍｍとするのが好ましい。
また、上記上方保持部１５の巾Ｗ３  は、５〜１５０ｍｍとするのが好ましく、下方保持部１６の巾Ｗ４  は、５〜１５０ｍｍとするのが好ましい。
また、上記開口部１２の長さＬ３  は、５０〜５００ｍｍとするのが好ましい。
【００２１】
また、両方の該腰部保持部材１０は、そのトップシート２側に、該腰部保持部材１０を相互に再止着可能に止着する腰部保持部材止着部１１を有している。これにより、両方の腰部保持部材が相互に止着される。
【００２２】
次に、図２及び３を参照して本形態の使い捨ておむつ１の使用の態様について説明する。
先ず、本形態の使い捨ておむつ１を使用するには、図２に示すように、一方の腰部保持部材１０の腰部保持部材止着部１１を他方の腰部保持部材１０の基端部１４のバックシート３側に係合させる。これにより、先ず腰部保持部材１０の止着を行う。
次いで、上記おむつ止着部２０を上記腰部保持部材１０に係合させて、おむつを止着し、おむつを使用する。
尚、このような使用法は、着用者が寝た状態でも又立った状態でも可能である。
【００２３】
本形態の使い捨ておむつ１は、上記開口部１２を有しているため、おむつを装着した場合に該開口部１２が上下に開いて、上記上方保持部１５と上記下方保持部１６とが着用者の肌に密着してフィット性が向上する。このため、おむつが着用中にずり落ちることがない。
また、上記開口部１２及び上記腰部保持部材止着部１１が両方の腰部保持部材に設けられているので、左右何れからでも装着操作が可能であり、装着順序を気にすることなく装着操作を行うことができ、操作性に優れる。
【００２４】
また、本形態の使い捨ておむつ１は、常法に従って上記トップシート２、上記吸収体４及び上記バックシート３を重ね合わせ、更に上記防漏シート８ａを所定位置に配して上記立体ガード８を形成した後、上記腰部保持部材１０を所定位置に配することにより、容易に製造することができる。
【００２５】
尚、本発明の使い捨ておむつは、上述した形態に制限されず、本発明の趣旨を逸脱しない範囲で種々変更が可能である。
例えば、上記腰部保持部材止着部１１は、何れか一方の腰部保持部材１０に設けてもよい。
また、上記腰部保持部材１０は、腹側部Ａに設けることもできる。
また、上記腰部保持部材１０は、その一部に伸縮部を設けることにより、伸縮性を賦与する形態とすることもできる。従って、この場合には伸縮性の部材を用いる必要はない。
また、上記腰部保持部材止着部１１及び上記おむつ止着部２０は、上述の凸部材ではなく、通常のホットメルト接着剤により形成してもよい。
また、上記開口部は単なるスリットとしてもよく、更にはスリットを複数個設けてもよい。
【００２７】
また、本発明の使い捨ておむつにおいて、上記開口部１２の形状や、その設ける個数は、本発明の所望の効果が得られれば、特に制限されず、例えば図４に示すように、楕円形状の開口部１２が、その長手方向をおむつの上下方向（腰部保持部材１０の巾方向）に向けて、複数個配されるようにしてもよい。
【００２８】
【発明の効果】
本発明の使い捨ておむつは、装着中におむつのずり落ちがない、フィット性に優れたものである。
【図面の簡単な説明】
【図１】図１は、本発明の使い捨ておむつの一形態を示す斜視図である。
【図２】図２は、図１に示す形態の使い捨ておむつを装着する途中の態様を示す斜視図である。
【図３】図３は、組あがった使い捨ておむつを示す斜視図である。
【図４】図４は、本発明の使い捨ておむつの他の形態を示す斜視図である。
【図５】図５は、従来の使い捨ておむつを示す平面図である。
【符号の説明】
１      使い捨ておむつ
２      トップシート
３      バックシート
４      吸収体
５      ウエスト部
６      レッグ部
７ａ    ウエスト部弾性伸縮部材
７ｂ    レッグ部弾性伸縮部材
７ｃ    立体ガード弾性伸縮部材
８      立体ガード
１０    腰部保持部材
１１    腰部保持部材止着部
１２    開口部
１３    先端部
１４    基端部
１５    上方保持部
１６    下方保持部
２０    おむつ止着部
Ａ      腹側部
Ｂ      背側部
【図１】
0003611684.tif 000002
【図２】
0003611684.tif 000003
【図３】
0003611684.tif 000004
【図４】
0003611684.tif 000005
【図５】
0003611684.tif 000006